(57)【特許請求の範囲】
【請求項１】
光透過性正面窓を有するリング状ハウジングと、前記ハウジング内に取り付けられた電気的光源と、前記電気的光源を電気的に励起する電源と、前記電源と光源との間に設けられたスイッチとから成るカメラ照明用リングライトにおいて、前記電気的光源は、複数のＬＥＤランプ素子と前記複数のＬＥＤランプ素子を電気的に並列接続する電気的接続手段とから成り、前記複数のＬＥＤランプ素子は、リング状基板にその円周方向に間隔をあけて取り付けられてそのリード端子を前記リング状基板に貫通し、前記電気的接続手段は、複数のＬＥＤランプ素子の前記リード端子を前記リング状基板の裏面上で相互に半田付けして形成され、前記電源は、前記ハウジングに取り付けられた電池ケース内に収納されていることを特徴とするカメラ照明用リングライト。
【請求項２】
光透過性正面窓を有するリング状ハウジングと、前記ハウジング内に取り付けられた電気的光源と、前記電気的光源を電気的に励起する電源と、前記電源と光源との間に設けられたスイッチとから成るカメラ照明用リングライトにおいて、前記電気的光源は、複数のＬＥＤランプ素子と前記複数のＬＥＤランプ素子を電気的に並列接続する電気的接続手段とから成り、前記複数のＬＥＤランプ素子は、リング状基板にその円周方向に間隔をあけて取り付けられてそのリード端子を前記リング状基板に貫通し、前記電気的接続手段は、前記リング状基板である印刷回路基板を含み、前記複数のＬＥＤランプ素子の前記リード線端子は、前記印刷回路基板の裏面上の配線パターン上に半田付けされ、前記電源は、前記ハウジングに取り付けられた電池ケース内に収納されていることを特徴とするカメラ照明用リングライト。
【発明の詳細な説明】
【０００１】
【発明の属する技術分野】
本発明は、カメラ本体の前面に取り付けられて撮影時に点灯して被写体に光を照射するカメラ照明用リングライトに関するものである。
【０００２】
【従来の技術】
カメラ本体のレンズ筒に取り付けられるリングライトは、光透過性正面窓を有するリング状ハウジングと、このハウジング内に取り付けられた電気的光源と、この電気的光源を電気的に励起する電源と、電源と光源との間に設けられたスイッチとから成っており、スイッチを投入することによって電源から電気的光源を励起して光源を点灯し、被写体を照射している。
【０００３】
従来技術のリングライトは、光源が１つの大きな蛍光灯から成っているため、光源が大型である上に、電源部に単３以上の大きな電池を使用しているため、リングライト全体の寸法が大型で重量も大きいにも拘わらず、光量が少ない欠点があった。一方、最近、デジタルカメラを一般医療や歯科医療に使用することが多くなっているが、被写体を近接撮影するために、カメラのレンズ前面にリングライトを取り付けて被写体を近接撮影する際に、電源部が大きく重いと、取り扱いが不便であった。
【０００４】
【発明が解決しようとする課題】
本発明が解決しようとする課題は、全体的に小型化、軽量化して取り扱いが容易である上に大きな光量で高い照度を得ることができるカメラ照明用リングライトを提供することにある。
【０００５】
【課題を解決するための手段】
本発明の１つの課題解決手段は、光透過性正面窓を有するリング状ハウジングと、このハウジング内に取り付けられた電気的光源と、この電気的光源を電気的に励起する電源と、電源と光源との間に設けられたスイッチとから成るカメラ照明用リングライトにおいて、電気的光源は、複数のＬＥＤランプ素子とこれらの複数のＬＥＤランプ素子を電気的に並列接続する電気的接続手段とから成り、複数のＬＥＤランプ素子は、リング状基板にその円周方向に間隔をあけて取り付けられてそのリード端子をリング状基板に貫通し、電気的接続手段は、複数のＬＥＤランプ素子のリード端子をリング状基板の裏面で相互に半田付けして形成され、電源は、ハウジングに取り付けられた電池ケース内に収納されていることを特徴とするカメラ照明用リングライトを提供することにある。
【０００６】
本発明の他の課題解決手段は、光透過性正面窓を有するリング状ハウジングと、このハウジング内に取り付けられた電気的光源と、この電気的光源を電気的に励起する電源と、電源と光源との間に設けられたスイッチとから成るカメラ照明用リングライトにおいて、電気的光源は、複数のＬＥＤランプ素子とこれらの複数のＬＥＤランプ素子を電気的に並列接続する電気的接続手段とから成り、複数のＬＥＤランプ素子は、リング状基板にその円周方向に間隔をあけて取り付けられてそのリード端子をリング状基板に貫通し、電気的接続手段は、リング状基板である印刷回路基板を含み、複数のＬＥＤランプ素子のリード線端子は、印刷回路基板の裏面上の配線パターン上に半田付けされ、電源は、ハウジングに取り付けられた電池ケース内に収納されていることを特徴とするカメラ照明用リングライトを提供することにある。
【０００７】
このように、電気的光源が並列接続された複数のＬＥＤランプ素子から成っていると、光源を小型化することができる上に、電源に単４、単５やＣＲ２の如き小型軽量の乾電池を使用すると、リングライト全体を小型軽量化することができる。また、多数のＬＥＤランプ素子によって高い照度の照明を得ることができる。従って、例えば、患者の口腔内等の如き狭隘な位置にある被写体を撮影する際にカメラの前方に取り付けて被写体に照明を当てるのに極めて便宜であり、特に、一般医療や歯科医療等での被写体撮影に好適に使用することができる。
【０００８】
【発明の実施の形態】
本発明の実施の形態を図面を参照して詳細に述べると、図１及び図２は、本発明に係わるカメラ照明用リングライト１０の使用状態を示し、このリングライト１０は、例えば、デジタルカメラの如きカメラ１２のカメラ本体１２Ａの前方のレンズ筒１４に着脱自在に取り付けられる。図示の形態では、リングライト１０の前方に更に拡大レンズ１６が取り付けられるようになっているが、この拡大レンズ１６は、レンズ筒１４とリングライト１０との間に取り付けられるようにしてもよく、その詳細は後に述べる。
【０００９】
図示の例では、リングレンズ１０をレンズ筒１４の前方に取り付ける取付手段１８は、図２に示すように、基筒２０とこの基筒２０にねじ込んで基筒２０との間でリングライト１０を挟持するライトアダプタ２２とから成っている。
【００１０】
基筒２０は、図示の例では、レンズ筒１４の前方内周面に形成されたねじ１４ｔにねじ込まれるステップアップリング２６を介して取り付けられる。ステップアップリング２６は、レンズ筒１４のねじ１４ｔにねじ込まれる小径外周ねじ部２６ｔと取付手段１８の基筒２０が螺入すべき大径内周ねじ部２６ｔ’とを有し、基筒２０の外周ねじ部２０ｔに適合したねじ部を提供する。もちろん、基筒２０の外周ねじ部２０ｔがレンズ筒１４のねじ１４ｔに適合していれば、ステップアップリング２６を必要としないことはもちろんである。また、図示していないが、レンズ筒１４のねじ１４ｔが基筒２０の外周ねじ部２０ｔよりも大きい場合には、基筒２０の外周ねじ部２０ｔに適合するステップダウンリングを用いる。
【００１１】
基筒２０は、リングライト１０の裏面に係合し、ライトアダプタ２２は、リングライト１０の正面に係合してリングライト１０を貫通し基筒２０の内周ねじ部２０ｔ’にねじ込まれるねじ部２２ｔを有する。図示の例では、ライトアダプタ２２は、前方にリングライト１０の内周面に適合する湾曲拡大筒部２４を有し、この湾曲拡大筒２４の内周ねじ部２４ｔに拡大レンズ１６が取り付けられているが、カメラの使用状況に応じては、この拡大レンズ１６は、取り外されることもあり、また必要に応じてフイルタリングを介してフイルタが取り付けられることもある。また、図示の例では、ライトアダプタ２２の外周ねじ部２２ｔと湾曲拡大筒部２４との間の筒部２２ｃに嵌合された透明カバー２３を有し、この透明カバー２３は、リングライト１０を基筒２０とライトアダプタ２２との間で正しい姿勢で位置決めされるようにしているが、ライトアダプタ２２だけでも正しい姿勢で位置決めされるなら、この透明カバーは、省略してもよい。
【００１２】
リングライト１０は、図２乃至図５に示すように、光透過性正面窓を有するリング状ハウジング３０と、このハウジング３０内に取り付けられた電気的光源３２と、この電気的光源３２を電気的に励起する電源３４と、電源３４と光源３２との間に設けられたスイッチ３６とから成っている。
【００１３】
電気的光源３２は、図３乃至図５に示すように、複数のＬＥＤランプ素子３８とこれらの複数のＬＥＤランプ素子３８を電気的に並列接続する電気的接続手段４０とから成っており、電源３２は図２及び図３に示すように、ハウジング３０に一体に形成された電池ケース６０内に収納されている。
【００１４】
複数のＬＥＤランプ素子３８は、図６に示すように、リング状基板４２にその円周方向に間隔をあけて取り付けられており、電気的接続手段４０は、複数のＬＥＤランプ素子３８の端子３８ａをリング状基板４２上で接続している形成されている。リング状基板４２は、ハウジング３０内に配置されて適宜の手段でハウジング３０に固定される。
【００１５】
図６の形態では、複数のＬＥＤランプ素子３８は、そのリード端子３８ａをリング状基板４２に貫通して裏側で折り返され、電気的接続手段４０は、図５に示すように、複数のＬＥＤランプ素子３８が相互に並列接続されるように、リング状基板４２の裏面上でそれぞれ接続線４４、４４’と正負のリード端子３８ａとを相互に符号４６で示すように半田付けして形成されている。
【００１６】
接続線４４、４４’は、図３及び図５に示すように、スイッチ３６を経て電源３２に接続されている。電源３２は、単５型、単４型又はＣＲ２の如き小型軽量の乾電池３２Ａから成っており、図示の形態では、複数の乾電池を直列接続して構成されている。スイッチ３６は、繰り返し押圧することによってオンオフを繰り返す形態の押しボタン型スイッチとするのが好ましい。また、スイッチ３６は、押しボタン３６ａが露呈するように電池ケース６０に一体に組み込まれている。接続線４４、４４’とスイッチ３６との接続は、リング状基板４２の首部４２ＡＮで行うことができる（図６参照）。
【００１７】
電気的光源３２が相互に並列接続された複数のＬＥＤランプ素子３８から成っていると、光源３２を小型化することができ、単５、単４、ＣＲ２の如き小型軽量の乾電池の使用と相俟ってリングライト１０全体を小型軽量化することができる。
【００１８】
また、ＬＥＤランプ素子３８は、そのリード端子３８ａをリング状基板４２に貫通し、この基板４２の裏面上で半田付けするだけで電気的接続と機械的固定とを行うことができ、組立を容易に行うことができる。
【００１９】
電気的接続手段４０の変形が図７に示されている。この図７の形態では、リング状基板４２は、印刷配線板４２Ａから成り、ＬＥＤランプ素子３８のリード端子３８ａは、印刷配線板４２Ａのスルーホールを通して貫通して裏面の所定のパターン導電層４２ＡＤに半田付け接続されている。この場合には、導電層４２ＡＤに接続された接続線をスイッチ３６を介して電源３２に接続することができる。
【００２０】
【実施例】
本発明の１つの実施例を以下に述べると、ハウジング３０内に配置されるリング状基板４２が図６の形態で形成され、その外径が７０ｍｍ、内径が５８ｍｍ、厚みが２ｍｍ、リングの幅が６ｍｍであった。リング状基板４２上に３２ケのＬＥＤランプ素子３８が実装され、その接続線４４、４４’を電池ケース６０内に導入し、押しボタンスイッチ３６を介して電池ケース６０内の電池接触端子に接続した。各ＬＥＤランプ素子３８の本体部分の高さは、９ｍｍであった。このリングライトのハウジング３０の外径が９０ｍｍ、内径が５８ｍｍ、厚みが２０ｍｍ、首部を含む高さが２２０ｍｍであり、このハウジング３０に一体の電池ケース６０は、単４乾電池の場合には、高さ２５ｍｍ、幅３０ｍｍ、奥行き５５ｍｍの寸法を有し、リングライト全体の重量は、電池ケースの重量を含めて９４ｇ、電池を含めた総重量は、１３９ｇであった。単４アルカリ乾電池４ケを電源（６Ｖ）としてこのリングライト１０を点灯したところ、６４０乃至１２００ルックスの照明を得ることができた。
【００２１】
なお、上記の実施例で、ＣＲ２乾電池を電源として用いた場合の電池ケースの寸法は、高さ３２ｍｍ、幅３５ｍｍ、奥行き２０ｍｍであり、重量は、単４乾電池の場合とほぼ同じであった。
【００２２】
従来の蛍光灯式リングライト、例えば、ＵＮの商品名で発売されているマクロリングライトの外径が８９ｍｍ、内径が３８ｍｍ、厚みが３５ｍｍ、首部を含めた高さが２２６ｍｍであるが、別に高さ６５ｍｍ、幅１１０ｍｍ、奥行き３５ｍｍの電池ケースを必要とし、リングライトの重量は９０ｇ、電池ケースの重量は１０５ｇ、電池を含めた総重量は、５１５ｇであり、単３アルカリ乾電池８本使用して最大で４００ルックス、最低で３２０ルックスの照明を得ることができた。
【００２３】
これを本実施例のリングライトと比較すると、本実施例のリングライトは、ハウジング及び電池ケース共に従来の蛍光灯式リングライトに比べてライト自体の厚みが３／５、総重量が１／４、総体積が１／３で２−３倍の光量を得ることができることが解る。
【００２４】
【発明の効果】
本発明によれば、上記のように、電気的光源が並列接続された複数のＬＥＤランプ素子から成っていると、光源を小型化することができ、単５、ＣＲ２の如き小型軽量の乾電池の使用と相俟ってリングライト全体を小型軽量化することができる上に、大きな光量を得ることができる。従って、例えば、患者の口腔内等の如き狭隘な位置にある被写体を撮影する際にカメラの前方に取り付けて被写体に照明を当てるのに極めて便宜であり、特に、一般医療や歯科医療等での被写体撮影に好適に使用することができる。
【００２５】
特に、LＥＤランプ素子をリング状基板である印刷配線板に取り付けて電気的に接続すると、接続線を介して電気的に接続する場合に比べて、光源を一層扁平化して更に小型、軽量化することができるので、一層好ましい。
【図面の簡単な説明】
【図１】本発明の１つの形態のリングライトをカメラに取り付ける状態の分解斜視図である。
【図２】図１と同じ状態であるが、その分解状態の縦断面図である。
【図３】本発明のリングライトの正面図である。
【図４】本発明のリングライトとの要部の拡大断面図である。
【図５】本発明のリングライトの電気回路図である。
【図６】本発明に用いられる複数のＬＥＤランプ素子が取り付けられたリング状基板を示し、同図（Ａ）は、その正面図、同図（Ｂ）は、その背面図、同図（Ｃ）は、その一部の横断面図である。
【図７】ＬＥＤランプ素子を実装する本発明の変形例の断面図である。
【符号の説明】
１０ リングライト
１２ デジタルカメラ
１２Ａ カメラ本体
１４ レンズ筒
１４ｔ 内周ねじ部
１６ 拡大レンズ
１８ 取付手段
２０ 基筒
２０ｔ 外周ねじ部
２２ ライトアダプタ
２２ｔ ねじ部
２２ｃ 筒部
２３ 透明カバー
２４ 湾曲拡大筒部
２４ｔ 内周ねじ部
２６ ステップアップリング
２６ｔ 小径外周ねじ部
２６ｔ’ 内周ねじ部
３０ リング状ハウジング
３２ 電気的光源
３４ 電源
３４Ａ 乾電池
３６ スイッチ
３６ａ 押しボタン
３８ ＬＥＤランプ素子
３８ａ 端子
４０ 電気的接続手段
４２ リング状基板
４２Ａ 印刷配線板
４２ＡＤ 導電層
４２ＡＮ 首部
４４、４４’ 接続線
４６ 半田付け部
６０ 電池ケース
【図１】
0003705769.tif 000002
【図２】
0003705769.tif 000003
【図３】
0003705769.tif 000004
【図４】
0003705769.tif 000005
【図５】
0003705769.tif 000006
【図６】
0003705769.tif 000007
【図７】
0003705769.tif 000008